(57)【要約】  【課題】座部及び背部を使用者の身長に応じた高さに調節できる起立補助機能付き椅子において、高さ調節を簡単に行えるようにする。  【手段】椅子は、左右側枠体７を備えて支持ユニット１と、支持ユニット１にボルト１３で固定された昇降ユニット２と、昇降ユニット２で高さ変更自在に支持された座部３及び背部４とを備えている。支持ユニット１に設けた取付け板１２に、ボルト１３の軸部が嵌まる支持穴１４を多段に形成している。各段の支持穴１４は後向きに開口しており、かつ、上下長手の長溝穴１５に連通している。ボルト１３は任意の段の支持穴１４に仮保持されるため、１人で高さ調節作業を迅速に行うことができる。【選択図】      図９
2005177333.tif 000002
【特許請求の範囲】
【請求項１】
座部及び背部と、これら座部及び背部を上下動自在に支持する昇降ユニットと、昇降ユニットの左右両側に配置された左右の側枠体とを備えており、昇降ユニットを側枠体で高さ調節可能に支持している起立補助機能付き椅子であって、
前記側枠体と昇降ユニットとのうち何れか一方に、昇降ユニットを支持するためのボルト等の支持手段が嵌まる複数段の支持穴を、昇降ユニットを持ち上げて昇降させることによって支持手段を任意の支持穴に嵌め変えできるよう同じ方向に開口した状態に形成している、
起立補助機能付き椅子。
【請求項２】
前記側枠体と昇降ユニットとのうち支持穴を形成しているものに、各段の支持穴に連通して上下方向に延びる長溝穴とを形成しており、長溝穴の溝幅を支持穴と同じかそれより大きい寸法に設定している、
請求項１に記載して起立補助機能付き椅子。
【請求項３】
前記支持穴に側枠体の外側からボルトを挿通し、これを昇降ユニットにねじ込むことにより、昇降ユニットを側枠体に固定している、
請求項１又は２に記載した起立補助機能付き椅子。
【請求項４】
前記側枠体は、人が床に足を付けて着座したときの座部の高さと略同じ程度の高さに設定されており、側枠体の上方部に、肘当てを後ろ向きに跳ね上げ回動させ得るように配置している、
請求項１〜３のうちの何れかに記載した起立補助機能付き椅子。
【発明の詳細な説明】
【技術分野】
【０００１】
本願発明は、起立補助機能付き椅子に関するものである。
【背景技術】
【０００２】
お年寄りのように足腰が弱い人のために、起立補助（及び着座補助）の機能を備えた椅子が開発されている。その一例として特許文献１には、座部及び背部を昇降させるための昇降ユニットを外枠体に高さ調節可能に取り付けることが記載されている。この構成によると、使用者の身長の高さに応じて適切な着座状態を得ることができる利点がある。
【特許文献１】特許第３０８８４０６号明細書
【発明の開示】
【発明が解決しようとする課題】
【０００３】
前記特許文献１では、昇降ユニットを高さ調節するための手段として、外枠体にボルト挿通穴を多段に形成し、ボルトの挿通高さを変えることによって昇降ユニットの高さを変えるようにしているが、これでは、昇降ユニットの高さを変更するにおいてすべてのボルトを抜き取ってから、昇降ユニットを所望の高さに保持した状態でボルトのねじ込み操作を行わねばならない。
【０００４】
しかして、昇降ユニットは機能上頑丈な構造でしかもモータ等を備えていて重いため、昇降ユニットの高さ調節はとうてい一人で行うことができず、一人の人が昇降ユニットを持ち上げ続けて他の人がボルトの回転操作を行わねばならず、このため、昇降ユニットの高さ調節に多大の手間がかかるという問題がある。
【０００５】
ところで、前記特許文献１では、側枠体は側面視で四角形のフレーム状に形成されており、この側枠体の上部に着座状態で人が肘を載せ得るようになっている。他方、起立補助機能付き椅子を使用する人がベッドを使用する場合、ベッドは着座状態での座部の高さと略同じ程度の高さであることが多いため、椅子とベッドとに移乗するにおいて側枠体が邪魔になって移乗しにくいという問題があった。
【０００６】
本願発明は、これらの現状を改善することを課題とするものである。
【課題を解決するための手段】
【０００７】
請求項１の発明では、座部及び背部と、これら座部及び背部を上下動自在に支持する昇降ユニットと、昇降ユニットの左右両側に配置された左右の側枠体とを備えており、昇降ユニットを側枠体で高さ調節可能に支持している起立補助機能付き椅子において、前記側枠体と昇降ユニットとのうち何れか一方に、昇降ユニットを支持するためのボルト等の支持手段が嵌まる複数段の支持穴を、昇降ユニットを持ち上げて昇降させることによって支持手段を任意の支持穴に嵌め変えできるよう同じ方向に開口した状態に形成している。
【０００８】
請求項２の発明では、請求項１において、前記側枠体と昇降ユニットとのうち支持穴を形成しているものに、各段の支持穴に連通して上下方向に延びる長溝穴とを形成しており、長溝穴の溝幅を支持穴と同じかそれより大きい寸法に設定している。
【０００９】
請求項３の発明では、請求項１又は２において、前記支持穴に側枠体の外側からボルトを挿通し、これを昇降ユニットにねじ込むことにより、昇降ユニットを側枠体に固定している。
【００１０】
請求項４の発明では、請求項１〜３のうちの何れかにおいて、前記側枠体は、人が床に足を付けて着座したときの座部の高さと略同じ程度の高さに設定されており、側枠体の上方部に、肘当てを後ろ向きに跳ね上げ回動させ得るように配置している。
【発明の効果】
【００１１】
本願発明において、昇降ユニットを側枠体に支持せしめる方法としては、請求項３に記載したように外側からボルトを支持穴に挿通してこれを昇降ユニットにねじ込む方法や、昇降ユニットに設けたボス部を支持穴に内側から挿通してこのボス部に外側からボルトをねじ込む方法等がある。
【００１２】
そして、本願発明では、昇降ユニットの高さ調節に際しては、ボルトを緩めても、当該ボルト又はボス部が支持穴で支持されるため昇降ユニットが落下することはない。また、昇降ユニットを持って水平方向にずらすことによってボルトやボス部を支持穴から抜き外し、次いで、昇降ユニットを上下動させて所望の高さにしてから水平動させてボルトやボス部を支持穴に嵌め変えることにより、昇降ユニットを所望の高さで落下不能に保持できる。
【００１３】
従って、人はいちいち昇降ユニットを持ち上げ続けていることなくボルトのねじ込み操作を行うことができるのであり、このため、昇降ユニットの高さ調節を一人で簡単に行うことができる。
【００１４】
請求項２のように構成すると、ボルト等の支持手段の上下動が長溝穴によってガイドされるため、支持手段を他の支持穴に嵌め変える作業が簡単であり、このため、昇降ユニットの高さ調節作業を一層容易に行える。
【００１５】
請求項４のように構成すると、肘当てを跳ね上げ回動させると、人が身体を横移動させるに際して座部の左右両側に障害物がないため、椅子とベッド等との移乗を容易に行うことができる。また、実施形態のように移動用の車輪を備えている場合、肘当てを跳ね上げると肘当てを移動に際してのハンドルに兼用することが可能になる利点もある。なお、請求項４の発明は独立した課題を備えており、請求項１に従属しない独立した発明たり得る。
【発明実施するための最良の形態】
【００１６】
次に、本願発明の実施形態を図面に基づいて説明する。図１は椅子を前方から見た斜視図、図２は椅子を後方から見た斜視図、図３は椅子の正面図、図４は椅子の右側面図、図５は椅子の背面図、図６は主要ユニットを分離した状態での正面図、図７は主要ユニットを分離した状態での右側面図、図８はユニットの分離斜視図、図９は分離側面図である。
【００１７】
椅子は、床に接地する支持ユニット１と、この支持ユニット１に高さ調節可能に取付けられた昇降ユニット２と、支持ユニット１で高さ調節自在に支持された座部３及び背部４と、背部４に取付けヘッドレスト６と、左右一対の肘当て６とを備えている。
【００１８】
(1).支持ユニット
例えば図９から容易に理解できるように、支持ユニット１は、左右に配置した側枠体（サイドフレーム）７と、左右の側枠体７を後部において連結する上下２本の連結バー８とを備えている（他の連結態様を採用しても良い）。
【００１９】
左右側枠体７は、後方から前方に向けて緩く湾曲しながら下がる形状の上部材９と、上部材９の前部に連結されて後方に延びる下部材１０と、下部材１０と上部材９とを後部において連結する後部部材１１とを主要骨組みとしており、この骨組みの前部と後部との内側面に支持板１２を溶接等によって固着し、この支持板１２に、例えば図９に明瞭に示すように、昇降ユニット２を固定するためのボルト１３が嵌まる複数段で後ろ向き開口の支持穴１４と、各段の支持穴１４に連通した長溝穴１５とを形成している。
【００２０】
手前側の支持板１２は下部材１０の下方に位置しており、後部の支持板１２は後部部材１１の後方に延びている。また、後部に形成した支持穴１４は手前側に向けて低くなるように緩い角度で傾斜しており、長溝穴１５は緩い角度で後傾している。長溝穴１５はボルト１３の軸部が自由にスライドし得る溝幅になっている。
【００２１】
左右側枠体７には足体１６を設けている。側枠体７のうち各部材９，１０，１１で囲われた部分はメインカバー１７で塞がれている。図１に一点鎖線で簡単に示すように、側枠体７のうち下部材１１の下方の空間を着脱自在な下カバー１８で塞いでも良い。また、カバーを上下に分離せずに、側枠体７の外面の全体を１枚の着脱式カバー（例えばクッション性のあるカバー）で覆っても良い。
【００２２】
側枠体７の上部材９は左右横幅が大きい偏平状の断面形状になっている。また、側枠体７の後部には、ブラケットを介して車輪２０を床から若干浮かせた状態で取付けている。車輪２０は、非着座状態で椅子を移動させるためのもので、椅子をその前部が上がるように起こした状態として、車輪２０を接地させることにより、軽い力で移動させることができる。
【００２３】
(2).昇降ユニット
昇降ユニット２は図１０〜図１３でも示している。図１０は昇降ユニット２の正面図、図１１のうち（Ａ）は昇降ユニット２の平面図、（Ｂ）は（Ａ）のＢ−Ｂ視断面図、図１２は昇降ユニット２の右側面図、図１３は図１１のXIII−XIII視部分断面図である。
【００２４】
これらの図から容易に理解できるように、昇降ユニット２は、フロント軸２２とリア軸２３とこれを連結する左右の連結材２４とで構成されたベース２５と、フロント軸２２から後傾状に延びる第１リンク２６と、第１リンク２６にピン２７で連結されて前傾状に延びる第２リンク２８と、これらリンク２６，２８を駆動するためのモータ式アクチェータ２９とを備えている。第１リンク２６と第２リンク２８とでＸリンク機構が構成されている。
【００２５】
第１リンク２６は左右に２本配置されており、その下端には筒体２６ａが一体に固着されており、筒体２６がフロント軸２２に回転自在に嵌まっている。また、左右第１リンク２６の上端には、上部コロ３０が左右外側に向けて突出した状態に取付けられている。
【００２６】
また、図１３から明らかなように、左右の第１リンク２６は枢着ピン２７よりも上方の部位において連結体３１で連結されており、この連結体３１に取り付けたフロントブラケット３２に、アクチェータ２９におけるピストン軸３３の前端が左右長手のフロントピン３４で取付けられている。左右第１リンク２６の前面にはカバー板３５を固着している。
【００２７】
アクチェータ２９はモータ２９ａを備えており、モータの回転が内蔵されたウォームギア機構を介してピストン軸３３の前後摺動に変換される。また、アクチェータ２９の後端部は、ベース２５におけるリア軸２３のリアブラケット３６に左右長手のリアピン３７を介して連結されている。
【００２８】
第２リンク２８は２本あって左右第１リンク２６の外側に配置されており、その上端は小径のアッパー部２８ａを介して一体に連結されており、アッパー部２８ａには回転筒３８が回転自在に嵌まっている。また、左右第２リンク２８の下端には下部コロ３９が左右外向きに突出した状態で取付けられており、下部コロ３９は、連結材２４の内面に設けた内向き開口の下ガイドレール４０に転動自在に嵌まっている。下部コロ３９が下部ガイドレール４０内で移動することにより、アクチェータ２９のピストン軸３３の前後動によって両リンク２６，２８の交叉角度が変化すること（座部３及び背部４の昇降動）が許容される。
【００２９】
なお、図１２に示すように、下ガイドレール４０の前部を上向き傾斜状に形成してもよく、このように構成すると、座部３及び背部４の上昇工程の終期において第２リンク２８の上端が第１リンク２６の上端よりも相対的に下がることにより、座部３を前傾状となり、その結果、人を椅子から押し出すようにすることができて、離席が容易になる利点がある。
【００３０】
昇降ユニット２におけるリア軸２３の左右両端には、後方に向けて斜め上向きに延びるリアブラケット４１を固着しており、このリアブラケット４１の後端に、左右方向に延びるねじ穴を有するナット体４２が固着されている。
【００３１】
昇降ユニット２の形態は図示ものに限定されるものではなく、必要に応じて様々の構造を採用できる。例えば必ずしもリンク機構を採用する必要はないのであり、また、リンク機構を採用する場合、左右一対のずつの第１リンク２６，第２リンク２８を使用する必然性はなく、１本ずつのリンクでＸリンク機構を構成するなどしても良い。更に、ベースも他の形態にしても良い。
【００３２】
(3).支持ユニットへの昇降ユニットの取付け
図１４は支持ユニット１への昇降ユニット２の取付け構造を詳細に示す図であり、（Ａ）は側面図、（Ｂ）は（Ａ）のＢ−Ｂ視断面図である。この図から理解できるように、昇降ユニット２は、そのフロント軸２２と後部のナット体４２とを支持板１２にボルト１３で締結されている。すなわち、支持板１２の支持穴１４を介してボルト１３をフロント軸２２及びナット体４２にねじ込むことにより、昇降ユニット２を支持ユニット１に固定している。
【００３３】
そして、支持穴１４は多段に形成されているため、ボルト１３の高さを変えることにより、昇降ユニット２の高さを段階的に調節することができる。また、昇降ユニット２の高さを変更する場合は、ボルト１３を緩めてから昇降ユニット２（及び座部３と背部４）とを後方にずらしてボルト１３を長溝穴１５の箇所に移動させ、次いで、所望の高さに変更してから昇降ユニット２を前進させて支持穴１４にボルト１３を嵌め込み、次いでボルト１３をねじ込めば良い。このため昇降ユニット２の高さの調節を簡単に行える。
【００３４】
また、実施形態のように前後いずれか一方又は両方の支持穴１４を側面視で長溝穴１５に向けて高くなるように傾斜させておくと、ボルト１３をねじ込む前の仮保持状態でボルト１３が長溝穴１５に向けて滑り移動することがないため、安全性及び高さ調節の確実性に優れている。
【００３５】
(4).座部の構造及び昇降ユニットへの取付け
次に、従前の図に加えて図１５〜図１７も参照して、座部３の構造及び昇降ユニット２への取付け構造を説明する。図１５は座部２の前部の縦断側面図、図１６は座部２の前後中間部の縦断正面図、図１７は座用フレームと背用フレームとの関係を示し斜視図である。
【００３６】
座部２は、座用フレーム４４と、この座用フレーム４４で支持された座板４５と、座板４５の上面に張ったクッション材４６とを備えている。座用フレーム４４の前端部には受け板４７を固着しており、受け板４７には、昇降ユニット２における第２リンク２８の回転筒３８が軸受け部材４７ａを介して連結されている。軸受け部材４７ａはねじで受け板４７に固定されている。
【００３７】
座板４５は座用フレーム４４に着脱可能に取付けられている。座用フレーム４４は、その後部に連結したリアメンバー４８と、前後方向に延びる左右２本の上部ガイドレール４９とを備えている。リアメンバー４８野左右両端からは肘支柱５０が立ち上がっている。
【００３８】
他方、上ガイドレール４９は断面コ字状で相対向するように内向きに開口しており、左右の上ガイドレール４９に、第１リンク２６の上端に設けた上部コロ３０を前後動自在に嵌め入れている。上部コロ３０が上部ガイドレール４９内で前後動することき、下部コロ３９が下部ガイドレール４０の内部で前後動することにより、両リンク２６，２８の回動によって座部３（及び背部４）が昇降することが許容される。
【００３９】
なお、座部３の構造は図示の態様に限定されるものではなく、例えば座用フレームを備え図に座板を直接に昇降ユニット２に取付けるなどすることも可能である。また、座用フレーム４４を設ける場合、その形態は様々に具体化できることは言うまでもない。図１に一点鎖線で示すように、座部３の前端と支持ユニット１の前端との間に布等の可撓性保護材３ａを張っても良い。
【００４０】
(5).背部の構造及び座部への取付け
次に、従前の図に加えて図１８も参照して背部４の構造及び座部３への取付け構造を説明する。図１８のうち（Ａ）は背部４の一部破断側面、（Ｂ）は別例図である。
【００４１】
背部（背もたれ）４は、金属パイプや板材を使用して形成した背用フレーム５２と、これに着脱自在に取付けた合成樹脂製の背板５３と、背板５３の前面に張ったクッション材５４とを備えている。
【００４２】
背用フレーム５２は左右きサイドメンバーー５５を備えており、この左右サイドメンバー５５の下端部を前向きに延出してその前端に、左右方向に貫通した軸受け部５６を一体に設け、この軸受け部５６を、座用フレーム４４の上ガイドレール４９に形成した後向き開口の軸受けブラケット５７にピン５７ａで取付けている。従って、背部４は前後傾動（リクライニング）し得る。
【００４３】
更に、座用フレーム４４と背用フレーム５２とは、傾動角度調節手段の一例としてのガスシリンダユニット５８で連結されている。ガスシリンダユニット５８の前端部は、一方の上ガイドレール４９の前部に横向き突設した支軸５９に連結されており、ガスシリンダユニット５８の後端部は、背用フレーム５２を構成する一方のサイドメンバー５５の下端部に設けたブラケット片６０にピン６１で連結されている。ガスシリンダユニット５８は、図示しないレバーの操作によってロックが解除される。
【００４４】
背部４を構成する背板５３には、背用フレーム５２の上端面に重なるフランジ６２を後向きに突設して、このフランジ６２に一体に設けた下向き突起部（図示せず）を左右サイドメンバー５５に嵌め入れて、ビスで固定している。また、背板５３の背面のうちその下部には、背用フレーム５２を構成する下部横長部材６３に後方から引っ掛かる爪体６４を設けている。
【００４５】
言うまでもないが、背部４の構造も図示の形態以外にも様々に具体化できる。例えは必ずしも背用フレーム５２は必要なく、背板５３を座用フレーム４４に直接に取付けるなどしても良い。更に、背用フレーム５２を設ける場合、その構造は自由に設定できる。なお、背用フレーム５２はむき出しのままでも良いし、図５に一点鎖線で示すようにカバー６５で覆っても良い。また、座部３及び背部４とも、必ずしもクッション材を備えている必要はない。
【００４６】
図１８（Ｂ）に示すように、例えば背用フレーム４２のサイドメンバー５５をその下部で切断し、分断した一方の部分に連結棒５５ａを嵌め込み固定する等して、背部４を座部３から分離できるように構成しても良い。このように分離方式にするとコンパクトに梱包できる利点があに。リンク部材等を使用して、背部４を座部３に対して倒し回動させることによっても同じ効果を発揮できる。
【００４７】
(6).ヘッドレスト
次に、図１９も参照してヘッドレスト５について説明する。図１９はヘッドレスト５の縦断側面図である。ヘッドレスト５は正面視下向きコ字状の枕支柱６７に支持具６８を介して高さ調節自在に取り付けられており、枕支柱６７は、背用フレーム５２に設けた縦長パイプ材６９に嵌め込んでねじ止めされている。
【００４８】
また、支持具６８は枕支柱６７に内側から嵌まるよう正面視略Ｈ字状に形成されており、支持具６８の上端に設けた左右一対の前向き支持部６８ａにヘッドレスト５を上下回動自在に取付けている。
【００４９】
(7).肘掛け装置
次に、図２０及び図２１を参照して肘掛け装置について説明する。図２０は肘掛け装置を構成する部材の分離斜視図、図２１は肘当て６の旋回中心部の縦断正面図である。肘当て６は前後方向に長く延びる中空形状であり、その後部寄りの部分を中心にして跳ね上げ回動し得るように肘支柱５０の上端に取付けられている。詳細は下記の通りである。
【００５０】
肘支柱５０は偏平状で中空の断面形状であり、その上部の内側面に重なるように円板状のロックプレート７１が固定されている一方、肘当て６にはブラケット板７２が下向きに突設されており、ブラケット板７２とロックプレート７１との間には、ブラケット板７２に重なる円形の摩擦板７３と、摩擦板７３及びロックプレート７１に重なるアジャストプレート７４とが介在している。
【００５１】
摩擦板７３及びアジャストプレート７４とにその中心に中心穴７５が空いており、ブラケット板７２には、摩擦板７３及びアジャストプレート７４の中心穴７５に貫通する支軸７６が突設されている。支軸７６は、ロックプレート７１及び肘支柱５０を貫通して肘支柱５０の外側に突出するようになっており、かつ、支軸７６には雄ねじが形成されていてこれにナット７７が螺合しており、これより、肘当て６は肘支柱５０に離脱不能に取り付けられている。
【００５２】
ブラケット板７２には、支軸７６を挟んだ両側に一対のガイドピン７８を突設しており、摩擦板７３にはガイドピン７８が嵌まる２個の穴７９を空けており、アジャストプレート７４とロックプレート７１とには、ガイドピン７８が摺動し得る円弧状のガイド穴８０が円周方向に略９０°ど程度の範囲で形成されている。また、アジャストプレート７４には、ロックプレート７１に貫通するねじ軸８１が突設されており、ねじ軸８１にナット８２をねじ込むことにより、アジャストプレート７４をロックプレート７１に固定している。
【００５３】
従って、摩擦板７３は肘当て６と一緒に回転する一方、アジャストプレート７４は回転不能に固定されている。また、肘当て６を倒した状態では、２本のガイドピン７８がガイド穴８０の端部に当接していることにより、肘当て６に作用するモーメントが支持される。また、ガイドピン７８がガイド穴８０で移動する範囲で肘当て６は回動自在となっている。
【００５４】
肘支柱５０の内部には、当該肘支柱５０から部分的に上向き突出した状態でロックレバー８３が配置されている。ロックレバー８３には支軸７６が貫通しており、また、ロックレバー８３は、その上部がロックプレート７１に当接し勝手となるようにばね押さえ８４を介してばね（コイルばね）８５で押されている。
【００５５】
ばね押さえ８４も支軸７６が貫通していて、ばね押さえ８４は、皿ばね８７で押圧されている。更に、肘支柱５０の上部やロックレバー８３はカバー８６で覆われている。カバー８６はロックプレート７１にビスで固定されている。ロックレバー８３には、ばね８５及びばね押さえ８４が被嵌するピン８８を突設して、これをカバー８６の外側に露出せしめ、このピン８８にノブ８９をねじ止め等にて固定している。
【００５６】
ロックレバー８３は基本的にはロックプレート７１のガイド穴７９を外側から塞ぐにように配置されており、かつ、ロックレバー８３の両端部には、ロックプレート７１のガイド穴７９の前後端部を露出させるような切欠き８３ａが形成されており、ガイドピン７８が切欠き８３ａの箇所で外向きに露出し得るように設定している。これにより、肘当て６は略水平状に倒した姿勢と上向きに起こした姿勢とに選択的に保持される。
【００５７】
また、ノブ８９を図２１の白抜き矢印で示すように外向きに引くと、ロックレバー８３とガイドピン７８との係合が解除されて（すなわちロックが解除されて）、肘当て６は回動自在となる。また、ノブ８９から手を離して肘当て６を回動させると、その回動終端においてロックレバー８３はばね８５の作用でガイドピン７８に自動的に係合する。
【００５８】
肘当て６が肘支柱５０の前後両側に張り出す態様にすると、肘当て６の後端を肘支柱５０に取り付けた場合に比べてモーメントを抑制し、支持機能を向上できる利点がある。しかし、単に肘当て６を肘支柱５０に回動自在に取り付けたに過ぎない構成では、肘当て６を略水平状に倒した状態で例えば着座者が肘の位置を後方に大きくずらしたり、或いは、他の人が肘当て６の後端に手を当てたりすると、肘当て６が突然に跳ね上がる不具合がある。
【００５９】
これに対して本実施形態のように、肘当て６を倒した姿勢とはね上げた姿勢とに保持するロック装置（ラッチ装置といっても良い）を設けると、肘当て６が不足に回動することを防止できるため、安全性に優れている。このようなロック装置は、肘当て６の後端部を肘支柱５０に取り付けた場合にも適用できるし、また、起立補助機能を備えていない椅子（例えば事務用椅子）にも適用できる。また、肘支柱５０は座用フレームに設けることにはい限らず、背もたれに取付けたり、背もたれをロッキングさせるための傾動フレームに取付けたりすることも可能である。
【００６０】
肘当て６の前後両端にはキャップが被さっていて、キャップと肘当て６の外周との間に段差が生じている。そして、図２０に一点鎖線で示すように、キャップとの段差を無くすようにクッション材やレザー等の表皮材（保護材）６ａを巻き付けることができる。クッション材６ａは帯状に形成されており、その長手両端か肘当て６の下面で重なるようにして肘当て６に巻き付けており、例えば面ファスナーによって肘当て６に取付けられる。
【００６１】
このようにキャップの段差を無くすように表皮材６ａを巻くことにより、表皮材６ａを美麗に巻き付けるができ、また、着座した人への保護機能も向上できる。また、肘当て６を跳ね上げた状態で人が起立したりベッドに移乗したりするにおいて、人の腕等が肘当て６の裏面に当たることがあり得るが、この場合、肘当て６の裏面にも表皮材６ａが巻かれているため、保護機能を向上することができる利点がある。
【００６２】
図２０に示すように、何れか一方の肘当て６の前端部の中空部内に、下向きのねじ軸９１ａを有するリミットスイッチ９１を固定し、このリミットスイッチ９１に作動体９２をナットで固定し、作動体９２にピンにてレバー９４を回動自在に取り付けている。リミットスイッチ９１にはケーブル９５を接続している。
【００６３】
このレバー９４を片側（例えば手前側）に回動させるとアクチェータ２９が正転して座部３が上昇し、逆の方向に回動させるとアクチェータ２９が逆転して座部３が下降する。もちろん、外力を加えない状態ではレバー９４は中立状態で座部３は停止している。このように肘当て６に昇降用レバー（スイッチ）９４を設けているため、昇降操作を簡単に行うことができる。
【００６４】
(8).その他
本願発明は上記の実施形態の他にも様々に具体化することができる。例えば昇降ユニット２の支持手段としては、図２２に示すように、昇降ユニット２に設けたボス部２ａを支持穴１４に挿入しても良い。また、図示していないが、支持ユニットにボス部やボルトを設ける一方、昇降ユニット２に多段の支持穴を形成しても良いのである。
【００６５】
更に、必ずしも昇降ユニットと支持ユニットとを支持穴の箇所でボルト等で締結する必要はなく、支持穴はには単なる昇降ユニットを支持せしめる機能を持たせるだけでも良い。
【００６６】
ところで、座部３が下降動する状態で座部の下方に人が手を入れたり物を挿入したりすると、リンクで挟まれる等して怪我したり装置を破損したりする虞がある。この点についての一つの安全策として、図２３では、座部（座板）の左右側部と後部とを囲うように線材性等のドグ体９７を配置し、下降途中でドグ体９７に下方から抵抗が掛かると当該ドグ体９７が回動又は上昇動して安全スイッチが作動し、ークチェータの駆動が停止するように設定している。
【００６７】
また、図示していないが、支持ユニットにおけるベースを上方から下降ようにセンサー部材を配置し、センサー部材に上方から抵抗が掛かってもアクチェータの駆動が停止するように設定している。
【図面の簡単な説明】
【００６８】
【図１】本願発明の実施形態に係る椅子を前方から見た斜視図である。
【図２】椅子を後方から見た斜視図である。
【図３】椅子の正面図である。
【図４】椅子の右側面図である。
【図５】椅子の背面図である。
【図６】主要ユニットの分離正面図である。
【図７】主要ユニットを分離した状態での右側面図である。
【図８】ユニットの分離斜視図である。
【図９】分離側面図である。
【図１０】昇降ユニット２の正面図である。
【図１１】昇降ユニット２を示す図である。
【図１２】昇降ユニット２の右側面図である。
【図１３】図１１のXIII−XIII視部分断面図である。
【図１４】支持ユニット１への昇降ユニットの取付け構造を示す図である。
【図１５】座部の前部の縦断側面図である。
【図１６】座部の前後中間部の縦断正面図である。
【図１７】座用フレームと背用フレームとの関係を示す斜視図である。
【図１８】（Ａ）は背部の一部破断側面、（Ｂ）は別例図である。
【図１９】ヘッドレストの縦断側面図である。
【図２０】肘掛け装置を構成する部材の分離斜視図である。
【図２１】肘当ての旋回中心部の縦断正面図である。
【図２２】昇降ユニットの支持手段の別例を示す断面図である。
【図２３】安全装置の一例を示す概略図であり、（Ａ）は平面図、（Ｂ）は側面図である。
【符号の説明】
【００６９】
１  支持ユニット
２  昇降ユニット
３  座部
４  背部
６  肘当て
７  側枠体
１２  支持板
１３  ボルト
１４  支持穴
１５  長溝穴
２６，２８  リンク
２９  アクチェータ
４４  座用フレーム
５２  背用フレーム
【図１】
2005177333.tif 000003
【図２】
2005177333.tif 000004
【図３】
2005177333.tif 000005
【図４】
2005177333.tif 000006
【図５】
2005177333.tif 000007
【図６】
2005177333.tif 000008
【図７】
2005177333.tif 000009
【図８】
2005177333.tif 000010
【図９】
2005177333.tif 000011
【図１０】
2005177333.tif 000012
【図１１】
2005177333.tif 000013
【図１２】
2005177333.tif 000014
【図１３】
2005177333.tif 000015
【図１４】
2005177333.tif 000016
【図１５】
2005177333.tif 000017
【図１６】
2005177333.tif 000018
【図１７】
2005177333.tif 000019
【図１８】
2005177333.tif 000020
【図１９】
2005177333.tif 000021
【図２０】
2005177333.tif 000022
【図２１】
2005177333.tif 000023
【図２２】
2005177333.tif 000024
【図２３】
2005177333.tif 000025